(57)【要約】【課題】より安全で機能的な、グリル収納部にグリルの代わりに引き出し部を設ける厨房用キャビネットを提供する。【解決手段】カウンターに加熱調理用具を備えた厨房用キャビネットであって、加熱調理用具の真下に、引き出しを設け、加熱調理用具と引き出しの間に、仕切り板を設けるとともに、当該仕切り板と厨房用キャビネットの背板との間をあて板によって塞ぐことを特徴とする厨房用キャビネットである。【選択図】図４
2006280438.tif 000002
【特許請求の範囲】
【請求項１】
カウンターに加熱調理用具を備えた厨房用キャビネットであって、加熱調理用具の真下に、引き出しを設け、加熱調理用具と引き出しの間に、仕切り板を設けるとともに、当該仕切り板と厨房用キャビネットの背板との間をあて板によって塞ぐことを特徴とする厨房用キャビネット。
【請求項２】
仕切り板の後方部を垂下させてＬ字状とすることを特徴とする請求項１に記載の厨房用キャビネット。
【請求項３】
カウンターと引き出し前板との間に隙間を設け、該隙間の後方に、小径の穴を開けた吸気口板を設けることを特徴とする請求項１または２に記載の厨房用キャビネット。
【発明の詳細な説明】
【技術分野】
【０００１】
本願発明は、カウンターに加熱調理用具を備えた厨房用キャビネットに関し、特にグリルの代わりに引き出しを設ける厨房用キャビネットに関する。「カウンター」とは厨房用キャビネットの天板であり、「加熱調理用具」には、ガスコンロや電磁加熱調理器も含まれる。
【背景技術】
【０００２】
従来のシステムキッチンにおいてはコンロとグリルと一体となっている厨房用キャビネットが一般的であったが、近年、グリルに対するニーズが減少してきており、グリルを無くし、そのあいた空間を有効利用するために、該空間に引き出しを設ける厨房用キャビネットが求められている。
【特許文献１】実用新案登録第２５５０２１６号
【０００３】
従来技術としては、上記実用新案登録公報において、コンロの加熱部の底部を断熱材で遮熱し、底部の下方に上記加熱部とは独立した収納部を形成し、該収納部に鏡板を有する抽斗（引き出し）を引き出し自在に配設する構成が開示されている。
【発明の開示】
【発明が解決しようとする課題】
【０００４】
従来技術においては、コンロの加熱部の底部に断熱材を設けているため、引き出し上後部から収納物が落下したり、収納物がガス配管、又は電気コードに接触したりする危険性がある。また、引き出しを引き出した状態で中を覗くとコンロが露出してしまい、その上、キャビネット内の通気性が悪いため、ガスコンロのバーナーの燃焼が安定しないという欠点がある。
【０００５】
また、加熱調理用具より下方に設けた引き出しをいきおい良く引くと、厨房用キャビネットの内部の空気が外に持ち出され、厨房用キャビネット内が負圧になる。その際、ガスコンロの炎が中へ引き込まれるため、火が消えてしまう。ガスコンロには立ち消え対策がしてあり、火が消えると自動的にガスの供給を切れる設計になっていることが多く、ガス漏れの危険はほとんどないが、火が知らぬ間に消えていると、調理中の料理が冷えてしまい、うまくでき上がらないという問題があり、また、再度火を付けなければならず、めんどうであるという問題がある。
【０００６】
本願発明の目的は、上記欠点を解決し、より安全で機能的な、グリル収納部にグリルの代わりに引き出しを設けるとともに、ガスコンロの火が立ち消えしにくい厨房用キャビネットを提供することである。
【課題を解決するための手段】
【０００７】
本願発明は、カウンターに加熱調理用具を備えた厨房用キャビネットであって、加熱調理用具の真下に、引き出しを設け、加熱調理用具と引き出しの間に、仕切り板を設けるとともに、当該仕切り板と厨房用キャビネットの背板との間をあて板によって塞ぎ、さらにカウンターと引き出し前板との間に隙間を設け、該隙間の後方に、小径の穴を開けた吸気口板を設けることを特徴とする厨房用キャビネットである。
【発明の効果】
【０００８】
本願発明の利点は、コンロと引き出しの間に仕切り板を設けることで、コンロ本体の放熱から引き出しの収納物を守ることである。
【０００９】
仕切り板と厨房キャビネットの背板との間をあて板によって塞ぐことにより、加熱調理用具、特にガスコンロより下方に設けた引き出しをいきおい良く引くと、厨房用キャビネットの内部の空気が外に持ち出されても、仕切り板とあて板とによってさえぎられて、ガスコンロへ影響することはほとんどなく、極力、ガスの火の立ち消えを抑えることができる。
【００１０】
本願発明の更なる利点は、仕切り板の後方部をキャビネットの背板と平行になるようにＬ字型に折り曲げる形状とすることで、引き出しを引き出した状態で中を覗いてもコンロ本体の露出を防止し、引き出しの収納物が引き出しの後方からキャビネット内に落下することを防止し、引き出しの収納物がガス配管、又は電気コードに接触することを防止し、さらに引き出しとキャビネット内の背板側に設けられるガス配管や電源コードとの干渉を防止することである。
【００１１】
また、本願発明の更なる利点は、カウンター前縁の下面と引き出し前板の上面との間に隙間を設け、該隙間の後方に小径の穴を開けた吸気口板をコンロ本体の前面に設けることで、該隙間からコンロと仕切り板の間の通気路を通してキャビネット内部に空気を取り入れ、ガスコンロを使用した場合のバーナーの燃焼を安定させ、さらに該吸気口板の前面下部と引き出し前板の後面との間に補助幕板を該吸気口板に固定して設置することで、吸気口板の小径の穴以外の隙間を塞ぎ、ゴキブリ等の虫の侵入を防止し、正面からのコンロ本体の露出も防止することである。
【発明を実施するための最良の形態】
【００１２】
以下、本願発明の特徴をさらに十分に示すために、限定を意図しない例として、本願発明の実施形態に関して説明する。
【実施例１】
【００１３】
図１は本発明の実施形態における仕切り板とあて板との配置を示す平面図である。図２は本発明の実施形態におけるあて板の斜視図である。図３は本発明の厨房用キャビネットへのあて板及び仕切り板の順次設置を示す説明図である。図４は本発明の厨房用キャビネットへの仕切り板の設置を示す説明図である。図５は本発明の厨房用キャビネット上部の側面断面図である。図６は本発明の実施形態のコンロ用キャビネットの斜視図である。図７はコンロ本体を取り除いた本発明の実施形態のコンロ用キャビネット上部の透視図である。
【００１４】
厨房用キャビネットは、前板１と、側板２、３と、背板４と、上部に設置されるカウンター５と、該カウンター５の開口６に上方からはめ込まれるコンロ本体７と、該カウンター５の開口６から上面に露出するコンロ面８と、該コンロ本体７にガスを供給するガス配管９と、ガスの供給を開閉するガス栓１０と、該背板４と後述する仕切り板１４との間を塞ぐあて板３１と、引き出し本体１１と引き出し前板１２を含む引き出し１３と、該引き出し本体１１と該コンロ本体７との間に設置される仕切り板１４と、該背板４と平行となるように垂下するように折り曲げられた該仕切り板１４の後方部１５と、該コンロ本体７の前面に設置される、空気を取り入れるための小径の穴１６を開けた吸気口板１７と、該吸気口板１７の前面下部に設置され、引き出し前板１２の後面に当接可能な補助幕板１８と、から構成される。
【００１５】
カウンター５の開口６に上方からコンロがはめ込まれ、コンロ本体７はキャビネットの上部内に収まり、コンロ面８はカウンター５の上面に露出する。ガスコンロの場合、該コンロ本体７にガスを供給するガス配管９はあて板３１に設けた開口３１ｃを通過して、コンロ本体７の後方底部からキャビネットの背板４に平行に伸びて配置され、ガスの供給を開閉するガス栓１０を介して、キャビネット外のガス管に接続されている。また、ガスコンロの点火用の電池ボックスはスペースの関係からあて板より上方に設置できないので、あて板より下方の側板に密着して設置され、電気コードは電池ボックスからあて板３１の開口３１ｄを通過してガスコンロに接続されている。
【００１６】
また、図示されていないＩＨ電磁加熱器の場合は、ガスを供給するガス配管９の代わりに、電気を供給する電気コードが、加熱器後部からキャビネットの背板４に配置され、該背板４の上方又は下方に電気コードのプラグに対応する開口を設け、該プラグは該開口からキャビネット外に配置され、該キャビネットの配置位置に対応するキッチンの内壁の、該背板４の開口からキャビネット外に配置された該プラグの配置位置に対応する位置にコンセントを設け、電源である該コンセントにプラグを直接接続する。
【００１７】
ＩＨ電磁加熱器の場合、強風により加熱がとだえることがないが、仕切り板１４と背板４との間を塞ぐあて板３１を設け、あて板３１に開口を設けてＩＨ電磁加熱器に電気を供給する電気コードを通してもよい。
【００１８】
あて板３１は図２に示すように開口３１ｃ、３１ｄを開けた板である。そして図３（ａ）に示すように、側板２、３の上方奥に、各々、取付け板３２、３３を固着し、あて板３１を取付け板３２、３３に対して、ねじ３４を用いて、ねじ止めして固定する。その後に、あて板３１の手前に仕切り板１４を取付け、仕切り板１４の後方に垂下するように後方部１５を配置する。図４に示すように、仕切り板１４はねじによって、側板２、３に対して、ねじ止めされる。
【００１９】
図１に示すように、あて板３１は側板２、３から１ｍｍ前後離して配置されて隙間が形成されている。すなわち、あて板３１の側面３１ａと側板２の内面との間は約１ｍｍ離れており、同様に、あて板３１の側面３１ｂと側板３の内面との間も約１ｍｍ離れている。なお、他の実施形態としては、あて板３１の側面３１aと側板２の内面とが密着しても良く、同様にあて板３１の側面３１ｂと側板３の内面とが密着しても良い。
【００２０】
従来グリルが収納されていたキャビネットの上部前方の、コンロ本体の下部の収納部に引き出し前板１２と引き出し本体１１から成る引き出し１３を設ける。該引き出しには、調味料や小物類が収納でき、収納部として有効利用できる。引き出し前板１２は図１に図示される取っ手１９を備えていることが好ましい。また、引き出しの取っ手は様々な形状に構成することができる。
【００２１】
引き出し本体１１とコンロ本体７の間に、該引き出し本体１１の上方、近い側に、該コンロ本体の放熱から収納物を守るために、鋼板製の仕切り板１４を、側板２及び３への固定を可能にするために側方部を側板２及び３と平行となるようにＬ字型に短く折り曲げる形状と成し、該仕切り板１４をキャビネットの側板２及び３に取り外し可能にナット固定して設置する。さらに該仕切り板１４の後方部をキャビネットの背板４と平行となるようにＬ字型に折り曲げる形状と成し、引き出しの収納物が引き出しの上後方からキャビネット内に落下することを防止し、引き出しの収納物がコンロ本体、ガス配管、又は電気コードに接触することを防止し、さらに引き出し１３とガス配管９や電気コードが干渉することを防止する。
【００２２】
カウンターの下面と引き出し前板１２の上面との間に隙間２０を設け、該隙間２０から空気を取り入れるための吸気口の役割を担う小径の穴１６を開けた鋼板製の吸気口板１７を該隙間２０の後方に、コンロ本体７の前面に設置し、コンロ本体７と仕切り板１４の間に通気路２２を設け、該隙間２０から該通気路２２を通してキャビネット内部に空気を取り入れ、ガスコンロを使用した場合のバーナーの燃焼を安定させ、さらに、該吸気口板１７の前面下部と該引き出し前板１２の後面との間に補助幕板１８を該吸気口板１７に固定して設置し、引き出し１３を閉じた状態では該吸気口板１７の小径の穴１６以外の隙間を塞ぎ、該隙間２０からのゴキブリ等の虫の侵入を防止する。
【００２３】
該引き出し１３の下方には、図１に示されるように開閉式の前板１を有するキャビネット収納部と前底板２１を有する下方引き出しを備えていても良い。
【００２４】
また、該引き出し１３の下方には、下方引き出しの代わりに、図示されていない開閉式の前板を有するキャビネット収納部を備えていても良い。さらに、キャビネット収納部は引き出し形状の収納部でも良く、すなわち、キャビネット収納部は様々な形状に構成することができる。
【００２５】
以上説明したように、本願請求項に係る厨房用キャビネットは、コンロ本体と引き出し本体の間に仕切り板を設けることで、コンロ本体の放熱から収納物を守ることができる。また、仕切り板の後方部をキャビネットの背板と平行となるようにＬ字型に折り曲げる形状とすることで、引き出しを引き出した状態で中を覗いてもコンロ本体の露出を防止し、引き出しの収納物が引き出しの後方からキャビネット内に落下することを防止し、引き出しの収納物がガス配管、又は電気コードに接触することを防止し、さらに、引き出しとキャビネット内の背板側に設けられるガス配管や電源コードとの干渉を防止することができる。また、カウンター前縁の下面と引き出し前板の上面との間に隙間を設け、該隙間の後方に小径の穴を開けた吸気口板をコンロ本体の前面に設けることで、該隙間からコンロと仕切り板の間の通気路を通してキャビネット内部に空気を取り入れ、ガスコンロを使用した場合のバーナーの燃焼を安定させ、さらに該吸気口板の前面下部と引き出し前板の後面との間に補助幕板を該吸気口板に固定して設置することで、吸気口板の小径の穴以外の隙間を塞ぎ、ゴキブリ等の虫の侵入を防止し、正面からのコンロ本体の露出も防止することができる。さらに、仕切り板と背板との間を、あて板によって塞いでいるので、引き出しをいきおい良く手前に引き出しても、仕切り板とあて板とによってさえぎられてガスコンロへ影響することはほとんどなく、極力、火の立ち消えを抑えることができる。そのため、火が消えて料理を失敗することがなくなり、また、再び点火する煩わしさがなくなる。
【図面の簡単な説明】
【００２６】
【図１】本発明の実施形態における仕切り板とあて板との配置を示す平面図である。
【図２】本発明の実施形態におけるあて板の斜視図である。
【図３】本発明の厨房用キャビネットへのあて板及び仕切り板の順次設置を示す説明図である。
【図４】本発明の厨房用キャビネットへの仕切り板の設置を示す説明図である。
【図５】本発明の厨房用キャビネット上部の側面断面図である。
【図６】本発明の実施形態のコンロ用キャビネットの斜視図である。
【図７】コンロ本体を取り除いた本発明の実施形態のコンロ用キャビネット上部の透視図である。
【符号の説明】
【００２７】
１      前板
２      側板
３      側板
４      背板
５      カウンター
６      カウンターの開口
７      コンロ本体
８      コンロ面
９      ガス配管
１０    ガス栓
１１    引き出し本体
１２    引き出し前板
１３    引き出し
１４    仕切り板
１５    仕切り板後方部
１６    吸気口板の小径の孔
１７    吸気口板
１８    補助幕板
１９    引き出しの取っ手
２０    隙間
２１    前底板
２２    通気路
３１    あて板
３１ａ  側面
３１ｂ  側面
３１ｃ  開口
３１ｄ  開口
３２    取付け板
３３    取付け板
３４    ねじ
【図１】
2006280438.tif 000003
【図２】
2006280438.tif 000004
【図３】
2006280438.tif 000005
【図４】
2006280438.tif 000006
【図５】
2006280438.tif 000007
【図６】
2006280438.tif 000008
【図７】
2006280438.tif 000009